(57)【特許請求の範囲】
【請求項１】
携帯電話に内蔵されるデジタル放送を受信するためのＶＣＯ装置において、
入力端子が受信したデジタル放送波信号のうち、受信すべき選局チャンネルの周波数信号に対応した局部発振信号を出力する局部発振信号生成回路と、
前記高周波信号と前記局部発振信号とを混合してベースバンド信号を出力する混合回路とを備え、
前記局部発振信号生成回路は、
前記局部発振信号を発振する発振器と、
前記発振器が発振した局部発振信号周波数を１／Ｎ倍の比率で前記混合回路へ出力する周波数低下部とを有し、
前記１／Ｎ倍の比率を調整することによって、前記局部発振信号周波数と携帯電話で使用される通信用無線周波数とが異なるように設定することを特徴とする
ＶＣＯ装置。
【請求項２】
前記周波数低下部は、
複数の分周器を備えることを特徴とする
請求項１に記載のＶＣＯ装置。
【請求項３】
前記周波数低下部は、前記局部発振信号周波数を分周比１の比率で前記混合回路へ出力することを可能とした請求項１に記載のＶＣＯ装置。
【請求項４】
前記発振器は、
複数のインダクタンス素子と容量素子とを並列接続した回路を備え、
前記複数のインダクタンス素子を直列接続したインダクタンス合成素子と容量素子とを並列共振させた局部発振周波数は、
前記発振器の出力する最も低い周波数帯域である第１の周波数帯域であることを特徴とする請求項３に記載のＶＣＯ装置。
【請求項５】
前記インダクタンス合成素子は、前記第１の周波数帯域より高い第２の周波数帯域を担う第１のインダクタンス素子と、前記第２の周波数帯域より高い第３の周波数帯域を担う第２のインダクタンス素子とを直列接続したものであることを特徴とする
請求項４に記載のＶＣＯ装置。
【請求項６】
前記発振器は、
前記第１のインダクタンス素子と、
前記第２のインダクタンス素子と、
第１のスイッチ素子と、
第２のスイッチ素子と、
第３のスイッチ素子とを備え、
前記第１のスイッチ素子は、前記第１のインダクタンス素子の一端と前記第２のインダクタンス素子の一端とを接続した部分と接地電位との間に設けられ、
前記第２のスイッチ素子は、前記第２のインダクタンス素子の他端と接地電位との間に設けられ、
第３のスイッチ素子は、前記第２のインダクタンス素子の他端と接続され、
前記第１の周波数帯域で発振する場合は、前記第１のスイッチ素子を非導通状態とし、前記第２のスイッチ素子を導通状態とし、前記第３のスイッチ素子を非導通状態とすることを特徴とする
請求項５に記載のＶＣＯ装置。
【請求項７】
前記インダクタンス合成素子のインダクタンスは、
前記第１のインダクタンス素子のインダクタンスと前記第２のインダクタンス素子のインダクタンスと前記第１のインダクタンス素子の一端と第２のインダクタンス素子の一端の間に存在する配線の長さに比例した微小なインダクタンスとを加算したものであることを特徴とする
請求項６に記載のＶＣＯ装置。
【請求項８】
請求項１に記載のＶＣＯ装置を用いたチューナ。
【請求項９】
請求項８に記載のチューナを内蔵したことを特徴とする放送受信機。
【請求項１０】
請求項９に記載の放送受信機を内蔵したことを特徴とする携帯電話。
【発明の詳細な説明】
【技術分野】
【０００１】
本発明は放送受信機に搭載される広帯域なＶＣＯ（Ｖｏｌｔａｇｅ  Ｃｏｎｔｒｏｌｌｅｄ  Ｏｓｃｉｌｌａｔｏｒ）装置で、特に、放送用電波以外の無線送受信信号を扱う携帯電話などの移動体無線機器内に内蔵する前記ＶＣＯ装置およびチューナに関する。
【背景技術】
【０００２】
近年、移動体無線機器において、その多機能化が進められている。例えば、携帯電話の付加機能として、ＴＶ電波信号を受信した画像が携帯電話に設けられた液晶画面にて視聴できる。
【０００３】
このような移動体無線機器にＴＶ電波信号等の別の無線周波数帯域を使用するチューナを付加する場合、移動体無線機器とチューナの間で無線信号が相互に干渉し、信号品質が劣化するという問題がある。
【０００４】
例えば、移動体無線機器に内蔵されているチューナが動作しＴＶ画像が受信されている時に、同時に動作する移動体無線機器内のインターネット情報配信機能やＥメール機能等に品質不良が生じる。この場合、必要以上の通信時間を要してしまったり、通話する音声に品質不良が生じたりといった悪影響を及ぼす。
【０００５】
また、自動車や列車に乗車して移動体無線機器を使用する場合、移動体無線機器が電界強度の高い電波を送信することがある。その場合、連続的に視聴しているＴＶ電波の受信映像や音声に品質不良が生じ、場合によっては瞬間的にＴＶを視聴できなくなる。
【０００６】
従来、ＴＶ電波信号を受信する付加機能を有した携帯電話は、このような無線信号の干渉を避けるため、主な機能である通話やデータ通信の動作とＴＶ電波視聴の動作が同時に行われないようになっており、いずれかを単一で動作させる方法が採用されていた。また、ＴＶ電波信号は映像や音声信号が比較的鮮明ではないアナログ放送だったため、移動体無線機器から電界強度が高い電波が送信されて瞬間的に受信映像や音声に品質不良が生じた場合であっても目立った不快感がなかった。
【０００７】
なお、この従来の技術内容は、例えば、特開２００４−９６２１８号公報に開示されている。
【０００８】
しかしながら、ＴＶ放送方式の転換によって今後の主流になるデジタル放送を受信する場合は、視聴する映像や音声が鮮明に再生できるので、上記の状況に伴う信号品質の劣化が顕在化する。
【発明の開示】
【０００９】
このような課題を解決するために、本発明に係るＶＣＯ装置は、入力端子が受信した高周波信号のうち、受信すべき選局チャンネルの周波数信号に対応した局部発振信号を出力する局部発振信号生成回路と、高周波信号と局部発振信号とを混合してベースバンド信号を出力する混合回路とを備える。また、局部発振信号生成回路は、局部発振信号を発振する発振器と、発振器が発振した局部発振信号周波数を１／Ｎ倍の比率で混合回路へ出力する周波数低下部とを有する。そして、１／Ｎ倍の比率を調整することによって、局部発振信号周波数と携帯電話で使用される通信用無線周波数とが直接重複しないように設定する。
【００１０】
このような構成により、チューナに内蔵するＶＣＯ装置から出力される局部発振信号を移動体無線機器の送信及び受信周波数と異なる周波数帯域にすることができるため、チューナと移動体無線機器が同時に動作をしている状況においても無線周波数が干渉しないようにすることができ、相互の信号品質を高めることができる。
【発明の効果】
【００１１】
本発明に係るＶＣＯ装置及びこれを用いたチューナによれば、例えば携帯電話などの移動体無線機器にチューナを内蔵した状態で各々が同時に動作する状況においても、相互の周波数信号が干渉しないようにすることができ、各々の通信品質を常に良好に保つことができる。また、チューナの形状を大きくすることなく通信品質を良好に保つことができる。特に、上記チューナでデジタル放送を受信する場合において有用である。
【発明を実施するための最良の形態】
【００１２】
以下、本発明の実施の形態について図を参照しながら説明する。
【００１３】
図１は、移動体無線機器の一例であるＴＶ機能付き携帯電話のブロック図である。図１において、携帯電話は電話機能ブロック１と、テレビ機能ブロック２と、演算処理ブロック３と、スピーカ部４と、マイク部５と、キー操作部６と、モニター部７とで構成されている。
【００１４】
電話機能ブロック１は、携帯電話のアンテナ装置８と、デュプレクサ９と、受信回路ブロック１１と、送信回路ブロック１０とで構成されている。携帯電話のアンテナ装置８は、送受信信号を受発信する。デュプレクサ９は、携帯電話のアンテナ装置８の後段に位置し、送受信信号を分ける。受信回路ブロック１１は、デュプレクサ９における受信側の後段に位置し受信信号を高周波領域で処理する。送信回路ブロック１０は、デュプレクサ９における送信側の後段に位置し送信信号を高周波領域で処理する。
【００１５】
テレビ機能ブロック２は、チューナのアンテナ装置１２と、チューナブロック１３とで構成されている。チューナのアンテナ装置１２は、ＴＶ信号を受信する。チューナブロック１３は、チューナのアンテナ装置１２の後段に位置する。
【００１６】
携帯電話の送信無線信号の漏洩経路２５は、携帯電話のアンテナ装置８からチューナのアンテナ装置１２の経路である。これ以降、携帯電話の送信無線信号は、チューナブロック１３およびチューナの混合器１６を経て、局部発振部１７へと混入する。その結果、局部発振部１７が携帯電話の送信無線信号に近い周波数で発振動作を行っている場合は、ローカルカップリングが発生してＴＶ受信信号の品質が良好でなくなる。この対策として、携帯電話のアンテナ装置１２とチューナブロック１３間の信号経路にフィルタ（図示しない）を挿入し、送信無線信号を減衰させる方法が考えられる。しかしながら、ＴＶ放送の周波数帯域以外の帯域のみ減衰させる理想的なフィルタは容易に実現できず、実際にはＴＶ信号自体の信号振幅も減衰しその信号感度を大きく劣化させてしまう。
【００１７】
チューナの局部発振信号の漏洩経路２６は、局部発振部１７から携帯電話のアンテナ装置８、若しくは局部発振部１７から携帯電話の受信回路ブロック１１へ空間中や基板内部の電源ラインなどから直接混入する経路である。携帯電話の受信回路ブロック１１が受信しようとする周波数に局部発振部１７から出力する周波数が近い場合、チューナの局部発振信号が妨害信号となる。その結果、受信回路ブロック１１において通話信号やデータ通信信号の品質が悪化する。この対策として、局部発振部１７で共振している信号振幅を抑制して小さくする方法や、チューナの混合器１６へ出力する信号振幅を小さくし影響を軽減させる方法もある。しかしながら、共振信号の振幅が低下すると、位相雑音が悪化し、場合によっては発振利得が不足してＴＶ放送の選局ができなくなる。また、チューナの混合器１６へ出力する信号振幅の低下は、混合器の利得などの特性劣化を生じる。
【００１８】
そこで、本発明においては、携帯電話機能とＴＶ受信機能が同時に動作した場合には相互で扱う無線信号が干渉しないように異なる周波数を利用する。
【００１９】
図２は、本発明の一実施形態におけるＶＣＯ装置の発振器を示す図である。発振器１７０は、発振する周波数帯域が異なるＶＣＯ１７１、１７２，１７３の３種類から構成される。選局部１８が出力する周波数情報に基づいて、ＶＣＯ選択部１９が上記３種類のＶＣＯ１７１，１７２，１７３のうち、一つのＶＣＯを選択する。ＶＣＯ選択部１９から出力される選択信号は、３種類のＶＣＯ１７１、１７２、１７３の発振動作を選択的に切替える。なお、第１のスイッチ素子２０１、第２のスイッチ素子２０２、第３のスイッチ素子２０３、第４のスイッチ素子２０４、第５のスイッチ素子２０５は正論理において導通するものとする。論理素子１０１，１０２は、第１のスイッチ素子２０１、第２のスイッチ素子２０２、第３のスイッチ素子２０３、第４のスイッチ素子２０４、第５のスイッチ素子２０５の導通／非導通を制御する。３種類のＶＣＯ１７１，１７２，１７３はそれぞれ一般的に知られているクラップ型としている。発振周波数範囲を制御する制御電圧は入力端子３５から入力され、発振出力信号は出力端子３６から出力される。
【００２０】
まず、ＶＣＯ１７３が選択される場合について説明する。負性抵抗素子となるトランジスタ４０２のコレクタに電源電圧が接続され、ベースに電源電圧を抵抗分割したバイアス電圧が供給される。トランジスタ４０２のエミッタとベースの間に容量素子３１６を介して発振信号の正帰還がかけられている。また、共振回路がインダクタンス素子３１１と容量素子３１３と可変容量素子３１２から構成されている。第２のインダクタンス素子３１１の一端は、容量素子３１４を介してトランジスタ４０２のベースに接続される。入力端子３４から入力される電圧により可変容量素子３１２の容量を可変して共振周波数が制御される。そして、トランジスタ４０２のエミッタに接続する出力端子３２から発振信号すなわち局部発振信号が取り出される。
【００２１】
この場合、第１のスイッチ素子２０１、第３のスイッチ素子２０３、第５のスイッチ素子２０５に正論理の信号が入力されて導通状態となっている。その結果、トランジスタ４０２は電源電圧が加えられることでオン状態となり、第２のインダクタンス素子３１１と、可変容量素子３１２、容量素子３１３〜３１６の合成容量からなるＬＣ共振により周波数信号が発振し出力される。一方、スイッチ素子２０２、２０４は負論理の制御信号が入力されて非導通状態となっている。このため、トランジスタ４０１には電源電圧が加わらずオフ状態であり、第１のインダクタンス素子３０１、可変容量素子３０６、容量素子３０２〜３０５からなるＬＣ素子で異なる発振動作が行われない。
【００２２】
つぎに、ＶＣＯ１７２が選択される場合について説明する。このとき、第１のスイッチ素子２０１、第４のスイッチ素子２０４へは正論理の信号が入力されて導通状態となる。その結果、トランジスタ４０１は電源電圧が加えられオン状態となる。インダクタンス素子３０１と、可変容量素子３０６、容量素子３０２〜３０５の合成容量からなるＬＣ共振により周波数信号が発振し出力される。入力端子３３から入力される電圧により可変容量素子３０６の容量を可変して共振周波数が制御される。そして、トランジスタ４０１のエミッタに接続する出力端子３１から発振信号すなわち局部発振信号が取り出される。一方、第２のスイッチ素子２０２、第３のスイッチ素子２０３、第５のスイッチ素子２０５は負論理の制御信号が入力されて非導通状態となっている。このため、トランジスタ４０２には電源電圧が加わらずオフ状態である。第２のインダクタンス素子３１１、可変容量素子３１２、容量素子３１３〜３１６からなるＬＣ素子で異なる発振動作が行われない。
【００２３】
最後に、ＶＣＯ１７１が選択される場合について説明する。このとき、第２のスイッチ素子２０２、第４のスイッチ素子２０４へは正論理の信号が入力されて導通状態となり、第１のスイッチ素子２０１、第３のスイッチ素子２０３、第５のスイッチ素子２０５は負論理の制御信号が入力されて非導通状態となる。トランジスタ４０１は電源電圧が加えられてオン状態となる。第１のインダクタンス素子３０１と第２のインダクタンス素子３１１とを直列接続し加算された合成インダクタンスと、可変容量素子３０６、容量素子３０２〜３０５の合成容量からなるＬＣ共振により周波数信号が発振し出力される。入力端子３３から入力される電圧により可変容量素子３０６の容量を可変して共振周波数が制御される。そして、トランジスタ４０１のエミッタに接続する出力端子３１から発振信号すなわち局部発振信号が取り出される。
【００２４】
このように、ＶＣＯ１７１が選択された場合は、ＶＣＯ１７２とＶＣＯ１７３で用いるインダクタンス素子３０１と３１１とを直列接続することにより、発振する周波数帯域を低くすることができる。特に、ＶＣＯ１７１に必要とされる大きな定数のインダクタンス素子を新たに追加して回路形状を大きくすることなくＶＣＯ装置の発振周波数範囲を拡大することができる。
【００２５】
ＶＣＯ１７１に用いる負性抵抗素子にはＶＣＯ１７２にも用いるトランジスタ４０１を使用しているが、これはＶＣＯ１７１と１７２の発振する周波数帯域が近く、トランジスタ４０１に流す電流量に変化が少ないので可能となる。なお、ＶＣＯ１７１の発振周波数帯域を第１の周波数帯域ｆ１、ＶＣＯ１７２の発振周波数帯域を第２の周波数帯域ｆ２、ＶＣＯ１７３の発振周波数帯域を第３の周波数帯域ｆ３とすると、ｆ１＜ｆ２＜ｆ３の関係がある。ここで、トランジスタ４０１に流す電流量を大きく変えることができる回路構成（図示しない）を採用した場合には、上記トランジスタの共用に関する条件（ｆ１＜ｆ２＜ｆ３）はなくなる。図２に示す一実施形態であれば、ＶＣＯ１７１とＶＣＯ１７２で共用しているトランジスタ４０１の電流量を各々のＶＣＯが選択された状況にしたがって調整することが好ましい。
【００２６】
また、ＶＣＯ１７１に用いるインダクタンスは、第１のインダクタンス素子３０１と第２のインダクタンス素子３１１とを直列接続した信号経路となる微小な長さの配線で生じる寄生インダクタンスを加算した合成インダクタンスである。ＶＣＯ装置から発振し出力する局部発振信号の位相雑音を良好にするために、第１のインダクタンス素子３０１と第2のインダクタンス素子３１１との配置距離はできるだけ近くし、この配線長を短くすることで、配線直列抵抗Ｒｓや、配線と接地電位の間で生じる寄生容量Ｃｐを小さくし、合成インダクタンスのＱ値を高くすることが好ましい。
【００２７】
ＶＣＯ１７１の発振周波数帯域を更に低くする必要がある場合は、第１のインダクタンス素子３０１と第１のスイッチ素子２０１の間の信号経路に図１で示さない新規のインダクタンス素子を必要な定数で直列に挿入する。そして、論理素子１０２から出力される制御信号によって選択可能な図１で示さない新規のスイッチ素子を上記第１のインダクタンス素子３０１と新規のインダクタンス素子を接続した信号経路と接地電位の間に挿入することで実現することが可能である。
【００２８】
なお、ここまでで説明した本発明の一実施形態におけるＶＣＯ装置の発振器では、発振器の構成にクラップ型を用いたが、これ以外の構成であるコルピッツ型や差動型を採用して実現することも可能である。また、構成している回路素子に負性抵抗のトランジスタ、スイッチ素子のＭＯＳ−ＦＥＴ、可変容量素子のバリキャップダイオードなどを用いたが、これらに替わる代用素子を採用して実現することも可能である。
【００２９】
図３は、本発明の一実施形態における周波数低下部の構成を示す図である。
【００３０】
周波数低下部１７００は、２分周用の分周器１７０１、１７０３と、３分周用の分周器１７０２と、信号切替え部１７１１〜１７１４とで構成されている。
【００３１】
以下、本発明の一実施形態における周波数低下部の動作について説明する。
【００３２】
信号切替え部１７１１〜１７１４は、選局部１８が出力する周波数情報に基づいて分周比Ｎを設定する分周比選択部２０の出力信号により、発振器１７０と、分周器１７０１〜１７０３と、混合器１６とを接続する信号経路を切替える。
【００３３】
なお、ここで説明しようとする周波数低下部の一実施形態においては、テレビ機能ブロック２で受信する高周波信号を日本国内の地上波放送の全チャンネル（ｃｈ１〜ｃｈ６２、即ち９３ＭＨｚ〜７６７ＭＨｚ）としている。周波数低下部１７００は、これら全チャンネルを分類した４種類の周波数帯域ＶＨＦ−Ｌ（ｃｈ１〜ｃｈ３、即ち９３ＭＨｚ〜１０５ＭＨｚ）、ＶＨＦ−Ｈ（ｃｈ４〜ｃｈ１２、即ち１７３ＭＨｚ〜２１９ＭＨｚ）、ＵＨＦ−Ｌ（ｃｈ１３〜ｃｈ５１、即ち４７３ＭＨｚ〜７０１ＭＨｚ）、ＵＨＦ−Ｈ（ｃｈ５２〜ｃｈ６２、即ち７０７ＭＨｚ〜７６７ＭＨｚ）に応じて各々の信号経路の切替え、異なる分周比Ｎを設定している。
【００３４】
周波数低下部１７００で行う分周動作の詳細を説明する。
【００３５】
図４Ａは、本発明の一実施形態におけるＶＣＯ装置の局部発振周波数を示す図である。図４Ａにおいて、発振器１７０から出力された局部発振周波数と、周波数低下部１７００に入力された局部発振周波数を設定された分周比Ｎに基づいて１／Ｎ倍にして混合器１６へ出力する混合用局部周波数とを表示している。
【００３６】
テレビ機能ブロック２で選局したい放送チャンネルでＶＨＦ−Ｌが選択された場合は、分周比選択部２０において分周比Ｎは１２に設定される。そして、分周比選択部２０から分周比Ｎ（＝１２）に応じて出力する制御信号により、信号切替え部１７１１〜１７１４の経路が選択される。この場合、発振器１７０から分周器１７０１（２分周）、分周器１７０２（３分周）、分周器１７０３（２分周）、混合器１６への経路で周波数の分周処理を行う。この結果、発振器１７０から出力された局部発振周波数信号は１２分周（２分周×３分周×２分周）される。１２分周された信号は混合用局部周波数信号として混合器１６へ入力される。混合器１６では混合用局部周波数信号とアンテナ装置１２から入力された高周波信号とを混合させてベースバンド信号が出力される。本発明の一実施形態においては、図４Ａに示すＶＨＦ−Ｌ受信時の各周波数の関係から、上記ベースバンド信号は５００ｋＨｚとして出力される。なお、ＶＨＦ−Ｌ選択時における各周波数の関係は、高周波信号周波数＝９３ＭＨｚ〜１０５ＭＨｚ、局部発振周波数＝１１１０ＭＨｚ〜１２５４ＭＨｚ、混合用局部周波数＝９２．５ＭＨｚ〜１０４．５ＭＨｚである。
【００３７】
テレビ機能ブロック２で選局したい放送チャンネルでＶＨＦ−Ｈが選択された場合は、分周比選択部２０において分周比Ｎは６に設定される。そして、分周比選択部２０から分周比Ｎ（＝６）に応じて出力する制御信号により、信号切替え部１７１１〜１７１４の経路が選択される。この場合、発振器１７０から分周器１７０１（２分周）、分周器１７０２（３分周）、混合器１６への経路で周波数の分周処理を行う。この結果、発振器１７０から出力された局部発振周波数信号は６分周（２分周×３分周）される。６分周された信号は混合用局部周波数信号として混合器１６へ入力される。混合器１６では混合用局部周波数信号とアンテナ装置１２から入力された高周波信号とを混合させてベースバンド信号が出力される。本発明の一実施形態においては、図４Ａに示すＶＨＦ−Ｈ受信時の各周波数の関係から、上記ベースバンド信号は５００ｋＨｚとして出力される。なお、ＶＨＦ−Ｈ選択時において、高周波信号周波数＝１７３ＭＨｚ〜２１９ＭＨｚ、局部発振周波数＝１０３５ＭＨｚ〜１３１１ＭＨｚ、混合用局部周波数＝１７２．５ＭＨｚ〜２１８．５ＭＨｚである。
【００３８】
テレビ機能ブロック２で選局したい放送チャンネルでＵＨＦ−Ｌが選択された場合は、分周比選択部２０において分周比Ｎは２に設定される。そして、分周比選択部２０から分周比Ｎ（＝２）に応じて出力する制御信号により、信号切替え部１７１１〜１７１４の経路が選択される。この場合、発振器１７０から分周器１７０１（２分周）、混合器１６への経路で周波数の分周処理を行う。この結果、発振器１７０から出力された局部発振周波数信号は２分周される。２分周された信号は混合用局部周波数信号として混合器１６へ入力される。混合器１６では混合用局部周波数信号とアンテナ装置１２から入力された高周波信号とを混合させてベースバンド信号が出力される。本発明の一実施形態においては、図４Ａに示すＵＨＦ−Ｌ受信時の各周波数の関係から、上記ベースバンド信号は５００ｋＨｚとして出力される。なお、ＵＨＦ−Ｌ選択時において、高周波信号周波数＝４７３ＭＨｚ〜７０１ＭＨｚ、局部発振周波数＝９４５ＭＨｚ〜１４０１ＭＨｚ、混合用局部周波数＝４７２．５ＭＨｚ〜７００．５ＭＨｚである。
【００３９】
テレビ機能ブロック２で選局したい放送チャンネルでＵＨＦ−Ｈが選択された場合は、分周比選択部２０において分周比Ｎは１に設定される。そして、分周比選択部２０から分周比Ｎ（＝１）に応じて出力する制御信号により、信号切替え部１７１１〜１７１４の経路が選択される。この場合、分周処理は行われず、発振器１７０から発生する周波数信号は、混合用局部周波数信号として直接混合器１６へ入力される。なお、ＵＨＦ−Ｈ選択時において、高周波信号周波数＝７０７ＭＨｚ〜７６７ＭＨｚ、局部発振周波数＝混合用局部周波数＝７０６．５ＭＨｚ〜７６６．５ＭＨｚである。
【００４０】
なお、分周器１７０１，１７０３に用いる２分周回路は、一般的に知られるフリップフロップを用いた図示しない回路構成で実現することが可能である。また、分周器１７０２に用いる３分周回路には、特開２００２−３１４４０４号公報に記載される回路構成で実現することが可能である。
【００４１】
図４Ｂは本発明の一実施形態におけるＶＣＯ装置の局部発振周波数とテレビジョン放送受信用チューナを内蔵した携帯電話で使用される無線信号の周波数との関係を示す図である。具体的には、携帯電話の送受信周波数、および、一般に知られる携帯電話の付加無線機能であるＧＰＳ（Ｇｌｏｂａｌ  Ｐｏｓｉｔｉｏｎｉｎｇ  Ｓｙｓｔｅｍ）の受信周波数と、無線ＬＡＮ（Ｌｏｃａｌ  Ａｒｅａ  Ｎｅｔｗｏｒｋ）の送受信の無線周波数の送受信周波数といったチューナ以外の用途で使用される周波数と、チューナで使用される受信高周波信号の周波数、局部発振周波数、および受信高周波信号をベースバンド信号へ混合するための混合用局部周波数の分布を示している。
【００４２】
携帯電話の送受信周波数としては、今後の日本国内の携帯電話で一般的に使用されようとしている第３世代Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）規格に対応した送受信の無線周波数である８００〜９００ＭＨｚ帯、１．４〜１．５ＧＨｚ帯、１．７〜１．９ＧＨｚ帯、１．９〜２．２ＧＨｚ帯を図示している。また、携帯電話に付加無線機能として一般的に内蔵されているＧＰＳの受信無線周波数である１．５〜１．６ＧＨｚ、無線ＬＡＮ（Ｌｏｃａｌ  Ａｒｅａ  Ｎｅｔｗｏｒｋ）の送受信無線周波数である２．４〜２．５ＧＨｚを図示している。
【００４３】
このような周波数関係を維持することにより、国内地上波放送受信用チューナを内蔵した携帯電話が上記第３世代Ｗ−ＣＤＭＡ規格に対応し、また、付加機能としてＧＰＳや無線ＬＡＮといった無線機能を内蔵していても、チューナの局部発振周波数が携帯電話および付加無線機能で使用する無線周波数と重複しない。よって、相互の周波数干渉によって信号品質が劣化しない。
【００４４】
なお、本発明の一実施形態においては、テレビジョン受信用チューナは日本国内の地上波放送に対応し、携帯電話は同じく日本国内のＷ−ＣＤＭＡ規格に対応し、また、携帯電話の付加機能にはＧＰＳと無線ＬＡＮを備える構成を示したが、テレビジョン受信用チューナが日本国内以外の欧州や米国の異なる放送規格に対応し、携帯電話が同じく欧州や米国のＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）やＣＤＭＡ規格に対応し、また付加無線機能の無線ＬＡＮが２．４ＧＨｚ帯ではなく５ＧＨｚ帯の規格に対応するなど上記実施形態とは異なる送受信周波数であった場合でも、同様の効果を得ることができる。
【産業上の利用可能性】
【００４５】
本発明に係るＶＣＯ装置及びこれを用いたチューナによれば、例えば携帯電話などの移動体無線機器にチューナを内蔵した状態で各々が同時に動作する状況においても、相互の周波数信号が干渉しないようにすることができ、各々の通信品質を常に良好に保つことができる。また、チューナの形状を大きくすることなく通信品質を良好に保つことができる。特に、上記チューナでデジタル放送を受信する場合において有用である。
【図面の簡単な説明】
【００４６】
【図１】移動体無線機器の一例であるＴＶ機能付き携帯電話のブロック図
【図２】本発明の一実施形態におけるＶＣＯ装置の発振器を示す図
【図３】本発明の一実施形態における周波数低下部の構成を示す図
【図４Ａ】本発明の一実施形態におけるＶＣＯ装置の局部発振周波数を示す図
【図４Ｂ】本発明の一実施形態におけるＶＣＯ装置の局部発振周波数とテレビジョン放送受信用チューナを内蔵した携帯電話で使用される無線信号の周波数との関係を示す図
【符号の説明】
【００４７】
１    電話機能ブロック
２    テレビ機能ブロック
３    演算処理ブロック
４    スピーカ部
５    マイク部
６    キー操作部
７    モニター部
８    携帯電話のアンテナ装置
９    デュプレクサ
１０    送信回路ブロック
１１    受信回路ブロック
１２    チューナのアンテナ装置
１３    チューナブロック
１６    チューナの混合器
１７    チューナの局部発振部
１７０    発振器
１７１，１７２，１７３    ＶＣＯ
１７００    周波数低下部
１７０１，１７０２，１７０３    分周器
１７１１，１７１２，１７１３，１７１４    信号切替え部
１８    選局部
１９    ＶＣＯ選択部
２０    分周比選択部
２５    携帯電話の送信無線信号の漏洩経路
２６    チューナの局部発振信号の漏洩経路
３１，３２，３３，３４，３５，３６    端子
１０１，１０２    論理素子
２０１    第１のスイッチ素子
２０２    第２のスイッチ素子
２０３    第３のスイッチ素子
２０４    第４のスイッチ素子
２０５    第５のスイッチ素子
３０１    第１のインダクタンス素子
３１１    第２のインダクタンス素子
３０２，３０３，３０４，３０５，３１３，３１４，３１５，３１６    容量素子
３０６，３１２    可変容量素子
４０１，４０２    トランジスタ
【図１】
0004155325.tif 000002
【図２】
0004155325.tif 000003
【図３】
0004155325.tif 000004
【図４Ａ】
0004155325.tif 000005
【図４Ｂ】
0004155325.tif 000006